(57)【要約】【課題】運動靴の甲部及び底部に違和感を与えることの少ない高いフィット性を維持し、かつ、靴底側からの砂等の侵入を抑制しながら能率良く、容易に装着する。【解決手段】運動靴１の爪先部分１Ａの甲側から靴底下面の周縁部分にまで回り込む状態で被覆可能な皮革製のカバー体２が、運動靴１の爪先部分１Ａにおける靴底下面の周縁部分１ｃに当て付け可能な部分を内方側に折り返した状態で、運動靴１の爪先部分１Ａの外面に沿って装着可能な立体形状に成形されているとともに、この成形されたカバー体２の折り返し部分２Ａには、それの湾曲形状に沿う又は略沿う保形部材３が脱着自在に付設されている。【選択図】        図１
2004181072.tif 000002
【特許請求の範囲】
【請求項１】
運動靴の爪先部分の甲側から靴底下面の周縁部分にまで回り込む状態で被覆可能な皮革製のカバー体が、運動靴の爪先部分における靴底下面の周縁部分に当て付け可能な部分を内方側に折り返した状態で、運動靴の爪先部分の外面に沿って装着可能な立体形状に成形されているとともに、この成形されたカバー体の折り返し部分には、それの湾曲形状に沿う又は略沿う保形部材が脱着自在に付設されている運動靴用爪先保護カバー。
【請求項２】
前記カバー体の甲側には、靴紐を介して運動靴に固定するための紐孔が形成されている請求項１記載の運動靴用爪先保護カバー。
【請求項３】
前記保形部材がフェルト製又は皮革製であり、それの一側面に、カバー体の折り返し部分に対する付設用の粘着剤層が形成されている請求項１又は２記載の運動靴用爪先保護カバー。
【請求項４】
運動靴の爪先部分の甲側から靴底下面の周縁部分にまで回り込む状態で被覆可能で、かつ、運動靴の爪先部分における靴底下面の周縁部分に当て付け可能な部分を内方側に折り返した状態で、運動靴の爪先部分の外面に沿って装着可能な立体形状に成形された皮革製のカバー体の折り返し部分に、それの湾曲形状に沿う又は略沿う縫製可能な保形部材を脱着自在に付設してなる爪先保護カバーを準備し、この爪先保護カバーのカバー体を運動靴の爪先部分に装着して、カバー体と靴底の周縁部分とを、靴底の表裏に貫通する状態で縫着したのち、靴底下面の周縁部分には、その部位に露出する縫い糸を覆う状態でカバー体から取外された保形部材を固着してあることを特徴とする運動靴用爪先保護カバーの取付け方法。
【請求項５】
前記カバー体から取外された保形部材が、靴底の外縁と面一状態で靴底下面に固着されている請求項４記載の運動靴用爪先保護カバーの取付け方法。
【発明の詳細な説明】
【０００１】
【発明の属する技術分野】
本発明は、野球靴、  サッカー靴等の運動靴の爪先部分が地面との摺接によって短期間で摩耗することを防止するための爪先保護カバー及びそれの取付け方法の改良に関する。
【０００２】
【従来の技術】
従来の運動靴用爪先保護カバーの代表的なものとしては、下記の（イ）  〜（ハ）  に示す三種類のものが提案されている。
（イ）運動靴の爪先部分の甲側から靴底下面の周縁部分にまで回り込む状態で被覆可能な展開形状に裁断された皮革製のカバー体のうち、甲側の上側縁近くには、靴紐を介して運動靴に固定するための紐孔が形成されているもの。
【０００３】
（ロ）運動靴の爪先部分の甲側を覆う皮革製の甲部カバーの下側周縁に、運動靴の爪先部分における靴底下面の周縁部分に当て付け可能な折り返し部分を備えた摩耗性に優れたウレタン樹脂製の下部カバーを一体的に連続形成して、運動靴の爪先部分の甲側から靴底下面の周縁部分にまで回り込む状態で被覆可能なカバー体が構成され、このカバー体が、運動靴の爪先部分の外面に沿って装着可能な立体形状に成形されているとともに、皮革製甲部カバーの上側縁近くには、靴紐を介して運動靴に固定するための紐孔が形成されているもの（例えば、特許文献１参照。）。
【０００４】
（ハ）運動靴の爪先部分の甲側から靴底下面の周縁部分にまで回り込む状態で被覆可能な皮革製のカバー体が、運動靴の爪先部分における靴底下面の周縁部分に当て付け可能な部分を内方側に折り返した状態で、運動靴の爪先部分の外面に沿って装着可能な立体形状に成形され、この成形された皮革製シートの折り返し部分には、それの湾曲形状に沿う又は略沿う皮革製の補強片が接着されているとともに、この補強片には、スパイク突起に対する取付け孔を備えたポリウレタン等の硬質樹脂製の爪先底カバーが、補強片に囲まれた底開口面の爪先側を閉塞する状態で積層接着され、更に、皮革製シートの上側縁近くには、靴紐を介して運動靴に固定するための紐孔が形成されているもの（例えば、特許文献２、３、４参照。）。
【０００５】
【特許文献１】
実開平６−５５４０８号公報（第４頁、図１、図２）
【特許文献２】
実公平４−５０８１１号公報（第２頁、図１、図２）
【特許文献３】
実開平６−８６５２９号公報（第６−７頁、図１、図２）
【特許文献４】
実開平６−８６５３０号公報（第５頁、図１、図２）
【０００６】
【発明が解決しようとする課題】
前記（イ）の爪先保護カバーの場合では、運動靴の爪先部分に装着されるカバー体全体が耐摩耗性と共に適度の柔軟性を備えた皮革から製作されているため、運動靴の爪先部分に馴染み易く、かつ、カバー体の下側縁部分を運動靴の爪先部分における靴底下面の周縁部分に縫い糸で縫着することができるため、全体として違和感の極めて少ない良好なフィット感を得ることができる。
【０００７】
しかしながら、カバー体の下側縁部分を運動靴の爪先部分における靴底下面の周縁部分に縫着する場合、カバー体の甲側カバー部が運動靴の爪先部分の外面に密着するように、カバー体の下側縁部分を細かく折り込みながら運動靴の靴底周縁部分に縫着する必要があるため、その縫製作業に多くの手間を要していた。
【０００８】
また、前記（ロ）の爪先保護カバーの場合では、カバー体が運動靴の爪先部分の外面に沿って装着可能な立体形状に成形されているため、前者のようなカバー体の下側縁部分を細かく折り込む煩雑な手間が不要である反面、カバー体自体が、皮革製の甲部カバーとそれの下側周縁に連続するウレタン樹脂製の硬質の下部カバーとから構成されているため、運動靴の爪先部分の可撓性が硬質の下部カバーとの接触によって阻害され易く、しかも、カバー体の下側縁部分を運動靴の爪先部分における靴底下面の周縁部分に取付ける場合、下部カバーが硬質の樹脂製であるため、釘止め方法しか採ることができず、運動靴が重量化するばかりでなく、釘打ちピッチを細かくするのにも自ずと限界があるため、釘の隣接間を通して砂等の異物が侵入し易く、装着者に違和感を与える可能性がある。
【０００９】
更に、前記（ハ）の爪先保護カバーの場合では、皮革製のカバー体が、運動靴の爪先部分の外面に沿って装着可能な立体形状に成形され、この成形された皮革製シートの折り返し部分に、それの湾曲形状に沿う又は略沿う皮革製の補強片が接着されているため、運動靴の爪先部分に対する爪先保護カバーの装着は容易に行うことができる反面、補強片には、これに囲まれた開口部の爪先側を閉塞する状態で硬質樹脂製の爪先底カバーが積層接着されているため、運動靴の靴底の可撓性又は屈曲性が阻害され易く、しかも、運動靴に対する爪先保護カバーの取付けは、爪先底カバーに形成された取付け孔をスパイク突起に係合させたのち、皮革製シートの上側縁近くに形成された紐孔に靴紐を挿通して運動靴に固定するため、爪先底カバーと運動靴の靴底との間に砂等の異物が入り込み易い。
【００１０】
本発明は、上述の実状に鑑みて為されたものであって、第１の主たる課題は、運動靴の甲部及び靴底に違和感を与えることの少ない高いフィット性を維持し、かつ、靴底側からの砂等の異物の侵入を抑制しながら能率良く、容易に装着することのできる爪先保護カバーを提供する点にあり、第２の主たる課題は、爪先保護カバーの取付け部の摩耗もコスト面で有利に抑制することのできる取付け方法を提供する点にある。
【００１１】
【課題を解決するための手段】
本発明の請求項１による運動靴用爪先保護カバーの特徴構成は、運動靴の爪先部分の甲側から靴底下面の周縁部分にまで回り込む状態で被覆可能な皮革製のカバー体が、運動靴の爪先部分における靴底下面の周縁部分に当て付け可能な部分を内方側に折り返した状態で、運動靴の爪先部分の外面に沿って装着可能な立体形状に成形されているとともに、この成形されたカバー体の折り返し部分には、それの湾曲形状に沿う又は略沿う保形部材が脱着自在に付設されている点にある。
【００１２】
上記特徴構成によれば、皮革製のカバー体が、運動靴の爪先部分の甲側から靴底下面の周縁部分にまで回り込む状態で被覆可能な大きさに構成されているため、運動靴の甲部及び靴底が本来有する可撓性又は屈曲性を損なうことが少なくなるとともに、カバー体の下側縁部分を運動靴の爪先部分における靴底周縁部分に取付ける場合でも、靴底側からの砂等の侵入を抑制することができ、重量的にも有利な縫着方法を選択することができる。
【００１３】
しかも、皮革製カバー体が、運動靴の爪先部分における靴底下面の周縁部分に当て付け可能な部分を内方側に折り返した状態で、運動靴の爪先部分の外面に沿って装着可能な立体形状に成形されているため、運動靴の爪先部分に容易に装着することができるばかりでなく、成形されたカバー体の折り返し部分には、それの湾曲形状に沿う又は略沿う保形部材が脱着自在に付設されているから、運動靴への取付け直前まで成形されたカバー体の型崩れを抑制することができる。
【００１４】
従って、運動靴の甲部及び靴底に違和感を与えることの少ない高いフィット性を維持し、かつ、靴底側からの砂等の侵入を抑制しながら能率良く、容易に装着することができる。
【００１５】
本発明の請求項２による運動靴用爪先保護カバーの特徴構成は、前記カバー体の甲側に、靴紐を介して運動靴に固定するための紐孔が形成されている点にある。
【００１６】
前記カバー体の甲側に形成された紐孔に対して運動靴の靴紐を挿通することにより、靴紐の結び操作を利用してカバー体の甲側を運動靴に固定することができる。
【００１７】
本発明の請求項３による運動靴用爪先保護カバーの特徴構成は、前記保形部材がフェルト製又は皮革製であり、それの一側面に、カバー体の折り返し部分に対する付設用の粘着剤層が形成されている点にある。
【００１８】
上記特徴構成によれば、成形されたカバー体の型崩れを良好に防止しながらも、折り返し部分に対する保形部材の貼り付け作業も能率良く容易に行うことができる。
【００１９】
本発明の請求項４による運動靴用爪先保護カバーの取付け方法の特徴構成は、運動靴の爪先部分の甲側から靴底下面の周縁部分にまで回り込む状態で被覆可能で、かつ、運動靴の爪先部分における靴底下面の周縁部分に当て付け可能な部分を内方側に折り返した状態で、運動靴の爪先部分の外面に沿って装着可能な立体形状に成形された皮革製のカバー体の折り返し部分に、それの湾曲形状に沿う又は略沿う縫製可能な保形部材を脱着自在に付設してなる爪先保護カバーを準備し、この爪先保護カバーのカバー体を運動靴の爪先部分に装着して、カバー体と靴底の周縁部分とを、靴底の表裏に貫通する状態で縫着したのち、靴底下面の周縁部分には、その部位に露出する縫い糸を覆う状態でカバー体から取り外された保形部材を固着した点にある。
【００２０】
上記特徴構成によれば、皮革製のカバー体が、運動靴の爪先部分の甲側から靴底下面の周縁部分にまで回り込む状態で被覆可能な大きさに構成されているため、運動靴の甲部及び靴底が本来有する可撓性又は屈曲性を損なうことが少なくなるとともに、カバー体の下側縁部分を運動靴の爪先部分における靴底周縁部分に取付ける場合でも、靴底側からの砂等の異物の侵入を抑制することができ、重量的にも有利な縫着方法を選択することができる。
【００２１】
しかも、皮革製カバー体が、運動靴の爪先部分における靴底下面の周縁部分に当て付け可能な部分を内方側に折り返した状態で、運動靴の爪先部分の外面に沿って装着可能な立体形状に成形されているため、運動靴の爪先部分に容易に装着することができるばかりでなく、成形されたカバー体の折り返し部分には、それの湾曲形状に沿う又は略沿う縫製可能な保形部材が脱着自在に付設されているから、運動靴への取付け直前まで成形されたカバー体の型崩れを抑制することができる。
【００２２】
更に、前記カバー体から取り外された保形部材を靴底下面の周縁部分に固着することにより、カバー体を成形時の立体形状に維持するための保形部材を利用して、靴底下面の周縁部分やその部位に露出する縫い糸を被覆保護することができる。
【００２３】
従って、運動靴の甲部及び靴底に違和感を与えることの少ない高いフィット性を維持し、かつ、靴底側からの砂等の侵入を抑制しながら能率良く、容易に装着することができるとともに、カバー体を成形時の形状に維持するための保形部材を利用して、カバー体の取付け部の摩耗をコスト面で有利に抑制することができる。
【００２４】
本発明の請求項５による運動靴用爪先保護カバーの取付け方法の特徴構成は、前記カバー体から取外された保形部材が、靴底の外縁と面一状態で靴底下面に固着されている点にある。
【００２５】
上記特徴構成によれば、カバー体を成形時の形状に維持するための保形部材を利用して、靴底の先端縁の摩耗も効果的に抑制することができる。
【００２６】
【発明の実施の形態】
〔第１実施形態〕
図１〜図７は、運動靴の一例である野球用スパイク靴１の爪先保護カバーを示し、スパイク靴１の天然皮革製の爪先部分１Ａの甲側から靴底１Ｂの周縁部分１ｃにまで回り込む状態で被覆可能、詳しくは、スパイク靴Ａの爪先革（バンプ）１ａおける内方側フラップ部１ｂの前端部分を頂点とし、外方側の小指相当位置Ｐ１から内方側の横足弓相当位置Ｐ２にまで渡る範囲とそれに連なる靴底１Ｂの周縁部分１ｃを被覆可能な天然皮革製のカバー体２が、靴底１Ｂの周縁部分１ｃに当て付け可能な底面視変形Ｕの字状の下側部分２Ａを内方側に折り返した状態で、スパイク靴１の爪先部分１Ａの外面に沿って装着可能な立体形状に成形されている。
【００２７】
この成形されたカバー体２の折り返し部分２Ａの下面には、それの湾曲形状に沿う又は略沿う縫製可能な保形部材の一例であるフェルト３が、それらの相対向する少なくとも一方の面（当該実施形態では、カバー体２の折り返し部分２Ａの下面）に形成された粘着剤層４を介して脱着自在に付設されているとともに、カバー体２の甲側の上側縁で、かつ、スパイク靴１の内方側（親指側）に位置するフラップ部１ｂの前端部分に貫通形成された二つの紐孔１ｄに対向する部位には、靴紐５を介して運動靴１に固定するための二つの紐孔６が打ち抜き形成されている。
【００２８】
前記カバー体２の折り返し部分２Ａには、スパイク靴１の爪先部分１Ａの外面に沿って装着可能な立体形状に成形したとき、折り返し部分２Ａに大きな皺が発生しないように、かつ、成形後に略扁平状態で連続するように、運動靴１の輪郭形状に沿った湾曲成形に伴う重なり代に略相当する大きさの一つ又は分割された複数の切欠き部２ａが形成されている。
【００２９】
そして、上述の如く構成された爪先保護カバーをスパイク靴１の爪先部分１Ａに取付けるにあたっては、図１〜図３に示すように、スパイク靴１の爪先部分１Ａにカバー体２を外套装着したのち、爪先革１ａよりも外方に突出する靴底１Ｂの鍔部分１ｅの付け根相当箇所において、鍔部分１ｅの上面に接当するカバー体２の当て付け部分２Ｂと鍔部分１ｅの下面に接当するカバー体２の折り返し部分２Ａ及び靴底１Ｂとを、鍔部分１ｅの上面から下面に貫通する状態で靴用縫い糸７により縫着し、更に、図４、図５に示すように、靴底１Ｂの下面の周縁部分には、カバー体２の折り返し部分２Ａから剥離操作によって取り外されたフェルト３を、靴底１Ｂの下面の周縁部分に露出する靴用縫い糸７を覆う状態で、かつ、靴底１Ｂの外縁と面一になる状態で複数本の釘８により固着してある。
【００３０】
この場合、カバー体２を成形時の立体形状に維持するための保形部材であるフェルト３を利用して、靴底１Ｂの先端縁を含む下面周縁部分やその部位に露出する靴用縫い糸７を被覆保護することができる。
【００３１】
そして、スパイク靴１の靴底１Ｂに対するカバー体２の取付けが終了すると、カバー体２の上側縁に形成された二つの紐孔６にスパイク靴１の靴紐５を挿通することにより、この靴紐５の結び操作を利用して、カバー体２の上側部分を運動靴１に固定する。
【００３２】
他の取付け方法としては、図６、図７に示すように、スパイク靴１の爪先部分１Ａにカバー体２を外套装着したのち、爪先革１ａよりも外方に突出する靴底１Ｂの鍔部分１ｅの付け根相当箇所において、鍔部分１ｅの上面に接当するカバー体２の当て付け部分２Ｂと靴底１Ｂとを、鍔部分１ｅの上面から下面に貫通する状態で靴用縫い糸７により縫着し、この縫着によって上方に反り上がったカバー体２の折り返し部分２Ａ側を、鍔部分１ｅの上面の先端縁に沿う又は略沿う位置で切断して除去する。
【００３３】
この簡易な取付け方法においは、カバー体２の折り返し部分２Ａから剥離操作によって取り外されたフェルト３を廃棄してもよいが、上述のように、取り外されたフェルト３を、靴底１Ｂの下面の周縁部分に露出する靴用縫い糸７を覆う状態で、かつ、靴底１Ｂの外縁と面一になる状態で複数本の釘８により固着してもよい。
【００３４】
〔第２実施形態〕
図８に示すように、カバー体２の内面のうち、少なくとも靴底１Ｂの鍔部分１ｅから立ち上がる側縁部分に、スパイク靴１の爪先部分１Ａの外面との間から砂等の異物が入り込まないように、スパイク靴１の爪先革１ａに接着可能な接着層１０を形成するとともに、その接着層１０に剥離紙１１を剥離自在に貼り付けて実施してもよい。
尚、その他の構成は、第１実施形態で説明した構成と同一であるから、同一の構成箇所には、第１実施形態と同一の番号を付記してそれの説明は省略する。
【００３５】
〔その他の実施形態〕
（１）上述の各実施形態では、カバー体２の折り返し部分２Ａの湾曲形状に沿う又は略沿う保形部材の一例としてフェルト３を用いたが、カバー体２と同じ天然皮革又は人造皮革を用いてもよい。
要するに、保形部材３としては、カバー体２の折り返し部分２Ａに一時的に貼り付けて、成形されたカバー体２の型崩れを防止することのできるものであれば、如何なる材料のものを用いてもよい。
【００３６】
（２）上述の各実施形態では、カバー体２を天然皮革から構成したが、人造皮革を用いて実施してもよい。
【００３７】
（３）上述の第１実施形態では、成形されたカバー体２の折り返し部分２Ａの下面に粘着剤層４を形成して、それの湾曲形状に沿う又は略沿う保形部材の一例であるフェルト３を脱着自在に貼り付けたが、成形されたカバー体２の折り返し部分２Ａのうち、靴底１Ｂの鍔部分１ｅの下面と相対向する上面に粘着剤層４を形成して、フェルト等の保形部材３を取り外した後の粘着剤層４を、靴底１Ｂの鍔部分１ｅの下面に対する仮止め用の粘着剤層として兼用できるように構成してもよい。
【００３８】
（４）上述の第１実施形態では、成形されたカバー体２の折り返し部分２Ａの下面に、それの湾曲形状に沿う又は略沿う保形部材の一例であるフェルト３を、粘着剤層４を介して脱着自在に付設したが、粘着剤層４以外の取付け方法でフェルト等の保形部材３を脱着自在に付設してもよい。
【００３９】
（５）上述の第１実施形態では、靴底１Ｂの下面の周縁部分に、カバー体２の折り返し部分２Ａから剥離操作によって取り外されたフェルト３を、靴底１Ｂの下面の周縁部分に露出する靴用縫い糸７を覆う状態で、かつ、靴底１Ｂの外縁と面一になる状態で複数本の釘８により固着したが、接着剤等の他の取付け手段で固着してもよく、また、複数の取付け手段を併用して固着してもよい。
【００４０】
（６）上述の第１実施形態では、スパイク靴１の爪先部分１Ａにカバー体２を外套装着したのち、このカバー体２を靴底１Ｂに靴用縫い糸７により縫着したが、カバー体２を釘により靴底１Ｂに固着してもよい。
【図面の簡単な説明】
【図１】本発明の第１実施形態を示し、爪先保護カバーの取付け前の分割斜視図
【図２】爪先保護カバーの取付け前の要部の平面図
【図３】爪先保護カバーを取付けた時の要部の平面図
【図４】フェルトを靴底の下面周縁部分に取付けるときの要部の分解斜視図
【図５】フェルトを靴底の下面周縁部分に取付けたときの要部の斜視図
【図６】爪先保護カバーの別の取付け方法を示す縫製時の要部の斜視図
【図７】爪先保護カバーの別の取付け方法による完成状態を示す斜視図
【図８】本発明の第２実施形態を示す一部切欠き斜視図
【符号の説明】
１        運動靴（野球用スパイク靴）
１Ａ      爪先部分
１Ｂ      靴底
１ｃ      靴底周縁部分
２        カバー体
２Ａ      折り返し部分
３        保形部材（フェルト、皮革）
４        粘着剤層
５        靴紐
６        紐孔
【図１】
2004181072.tif 000003
【図２】
2004181072.tif 000004
【図３】
2004181072.tif 000005
【図４】
2004181072.tif 000006
【図５】
2004181072.tif 000007
【図６】
2004181072.tif 000008
【図７】
2004181072.tif 000009
【図８】
2004181072.tif 000010